(57)【要約】【課題】金属体の検出精度を向上させることが可能な金属体検出器および金属体検出装置を提供する。【解決手段】金属体検出器１０は、基準平面Ｂ１において金属体２１を検出するための検出領域Ｃ１を囲むように形成された検出コイル１と、基準平面Ｂ１において検出コイル１の外周に配置され電磁波を遮蔽するシールド部材２と、磁性材料を含み、基準平面Ｂ１において検出コイル１とシールド部材２との間に配置された枠体３とを備えている。枠体３は、検出コイル１の外周面に取り付けられて基準平面Ｂ１に直交する第１方向Ａ１に位置決めされている。金属体検出装置２０は、金属体検出器１０と、検出コイル１に電流を流して磁界を発生させる発振回路と、上記発振回路の発振振幅の変化に基づいて検出領域Ｃ１内の金属体２１を検出する検出回路とを備えている。【選択図】図１
2015137895.tif 000002
【特許請求の範囲】
【請求項１】
基準平面において金属体を検出するための検出領域を囲むように形成された検出コイルと、前記基準平面において前記検出コイルの外周に配置され電磁波を遮蔽するシールド部材と、磁性材料を含み、前記基準平面において前記検出コイルと前記シールド部材との間に配置された枠体とを備え、
前記枠体は、前記検出コイルの外周面に取り付けられて前記基準平面に直交する第１方向に位置決めされている
ことを特徴とする金属体検出器。
【請求項２】
前記枠体は、エラストマーに磁性体粉を分散させて形成されている
ことを特徴とする請求項１記載の金属体検出器。
【請求項３】
前記枠体には、前記検出コイルを構成する導線の一対の引出部を通す孔が形成されている
ことを特徴とする請求項１または請求項２記載の金属体検出器。
【請求項４】
前記検出コイルを構成する導線を巻き付けるコイルボビンを更に備え、
前記コイルボビンは、外周部に前記導線が巻き付けられ内周部を前記検出領域とする中空筒状の本体部と、前記本体部における前記第１方向に沿った方向の両端部から前記基準平面に沿って外方へそれぞれ突出された一対の鍔部とを備え、
前記枠体は、細長板状で、且つ、前記検出コイルの前記外周面に取り付けられるように構成され、
前記枠体における長手方向の両端部それぞれの前記第１方向の寸法は、前記コイルボビンにおける前記一対の鍔部の間隔以上に設定されている
ことを特徴とする請求項１ないし請求項３のいずれか１項に記載の金属体検出器。
【請求項５】
前記枠体は、前記検出コイルの前記外周面に対し前記検出領域に向けて弾性力を作用させるように構成されている
ことを特徴とする請求項１ないし請求項４のいずれか１項に記載の金属体検出器。
【請求項６】
前記枠体と前記検出コイルの前記外周面との間には、電気的に絶縁する絶縁部材が配置されている
ことを特徴とする請求項１ないし請求項５のいずれか１項に記載の金属体検出器。
【請求項７】
請求項１ないし請求項６のいずれか１項に記載の前記金属体検出器と、前記検出コイルに電流を流して磁界を発生させる発振回路と、前記発振回路の発振振幅の変化に基づいて前記検出領域内の金属体を検出する検出回路とを備えている
ことを特徴とする金属体検出装置。
【請求項８】
前記金属体からなる遊戯球を検出するように構成されている
ことを特徴とする請求項７記載の金属体検出装置。
【発明の詳細な説明】
【技術分野】
【０００１】
本発明は、例えば、遊戯盤（パチンコ台）で用いられる金属体からなる遊戯球（パチンコ玉）の通過を検出する金属体検出器およびそれを用いた金属体検出装置に関する。
【背景技術】
【０００２】
従来、筒状部を通過する金属体を検出する貫通形近接センサが提案されている（例えば、特許文献１）。
【０００３】
特許文献１に記載された貫通形近接センサ８０は、図９に示すように、下ケース８１および上ケース８２により構成された直方体状の筐体８３を備えている。また、貫通形近接センサ８０は、コイル８４が巻かれた円筒形部材であるコイルスプール８５と、電子回路部が実装されたプリント基板８６とを備えている。コイルスプール８５は、筐体８３に形成された貫通孔８７の内周面に沿って配置されている。
【０００４】
また、貫通形近接センサ８０は、コイル８４の外周部を被うシールドリング８８，８９と、シールドリング８８，８９の内側にインサート成形されたプラスチックフェライト９０，９１とを備えている。各シールドリング８８，８９は、銅箔板で構成されている。各プラスチックフェライト９０，９１は、高透磁率の磁性材料で形成されている。
【０００５】
貫通形近接センサ８０では、コイル８４に電流が流れると、コイル８４に発生する磁束がプラスチックフェライト９０，９１を通るので、シールドリング８８，８９に磁束が漏れるのを抑制することが可能となる。
【先行技術文献】
【特許文献】
【０００６】
【特許文献１】特開平７−３３５１０１号公報
【発明の概要】
【発明が解決しようとする課題】
【０００７】
しかしながら、貫通形近接センサ８０では、プラスチックフェライト９０，９１が、シールドリング８８，８９の内側にインサート成形されている。これにより、貫通形近接センサ８０では、プラスチックフェライト９０，９１が、コイル８４の外周部（上部、下部および側部）に配置されるため、コイル８４の高さ寸法を大きくすることが難しい。よって、貫通形近接センサ８０では、金属体を検出するための検出範囲を広くすることが難しく、金属体の検出精度を向上させることが難しい。
【０００８】
本発明は上記事由に鑑みて為されたものであり、その目的は、金属体の検出精度を向上させることが可能な金属体検出器およびそれを用いた金属体検出装置を提供することにある。
【課題を解決するための手段】
【０００９】
本発明の金属体検出器は、基準平面において金属体を検出するための検出領域を囲むように形成された検出コイルと、前記基準平面において前記検出コイルの外周に配置され電磁波を遮蔽するシールド部材と、磁性材料を含み、前記基準平面において前記検出コイルと前記シールド部材との間に配置された枠体とを備えている。前記枠体は、前記検出コイルの外周面に取り付けられて前記基準平面に直交する第１方向に位置決めされている。
【００１０】
この金属体検出器において、前記枠体は、エラストマーに磁性体粉を分散させて形成されていることが好ましい。
【００１１】
この金属体検出器において、前記枠体には、前記検出コイルを構成する導線の一対の引出部を通す孔が形成されていることが好ましい。
【００１２】
この金属体検出器において、前記検出コイルを構成する導線を巻き付けるコイルボビンを更に備え、前記コイルボビンは、外周部に前記導線が巻き付けられ内周部を前記検出領域とする中空筒状の本体部と、前記本体部における前記第１方向に沿った方向の両端部から前記基準平面に沿って外方へそれぞれ突出された一対の鍔部とを備え、前記枠体は、細長板状で、且つ、前記検出コイルの前記外周面に取り付けられるように構成され、前記枠体における長手方向の両端部それぞれの前記第１方向の寸法は、前記コイルボビンにおける前記一対の鍔部の間隔以上に設定されていることが好ましい。
【００１３】
この金属体検出器において、前記枠体は、前記検出コイルの前記外周面に対し前記検出領域に向けて弾性力を作用させるように構成されていることが好ましい。
【００１４】
この金属体検出器において、前記枠体と前記検出コイルの前記外周面との間には、電気的に絶縁する絶縁部材が配置されていることが好ましい。
【００１５】
本発明の金属体検出装置は、前記金属体検出器と、前記検出コイルに電流を流して磁界を発生させる発振回路と、前記発振回路の発振振幅の変化に基づいて前記検出領域内の金属体を検出する検出回路とを備えている。
【００１６】
この金属体検出装置において、前記金属体からなる遊戯球を検出するように構成されていることが好ましい。
【発明の効果】
【００１７】
本発明の金属体検出器では、前記枠体が、前記検出コイルの外周面に取り付けられて前記基準平面に直交する第１方向に位置決めされている。よって、本発明の金属体検出器においては、金属体の検出精度を向上させることが可能となる。
【００１８】
本発明の金属体検出装置は、前記金属体検出器と、前記検出コイルに電流を流して磁界を発生させる発振回路と、前記発振回路の発振振幅の変化に基づいて前記検出領域内の金属体を検出する検出回路とを備えている。よって、本発明の金属体検出装置においては、金属体の検出精度を向上させることが可能となる。
【図面の簡単な説明】
【００１９】
【図１】本実施形態の金属体検出器を備えた金属体検出装置の概略断面図である。
【図２】本実施形態の金属体検出器における枠体の展開図である。
【図３】本実施形態の金属体検出器における枠体の説明図である。
【図４】本実施形態の金属体検出器における他の枠体の説明図である。
【図５】本実施形態の金属体検出器における別の枠体の説明図である。
【図６】本実施形態の変形例の金属体検出器を備えた金属体検出装置の概略断面図である。
【図７】本実施形態の金属体検出装置の分解斜視図である。
【図８】本実施形態の金属体検出装置の一部を示すブロック図である。
【図９】従来例の貫通形近接センサの概略断面図である。
【発明を実施するための形態】
【００２０】
以下、本実施形態の金属体検出器１０について、図１〜図８を参照しながら説明する。
【００２１】
金属体検出器１０は、基準平面Ｂ１において金属体２１を検出するための検出領域Ｃ１を囲むように形成された検出コイル１と、検出コイル１を構成する導線２２（図７参照）を巻き付けるコイルボビン４とを備えている。また、金属体検出器１０は、電磁波を遮蔽するシールド部材２と、磁性材料を含む枠体３とを備えている。金属体２１としては、例えば、遊戯球（パチンコ玉）などを用いることができる。導線２２としては、例えば、導電体（図示せず）が絶縁被覆部（図示せず）により覆われた被覆電線などを用いることができる。
【００２２】
検出コイル１は、例えば、筒状に形成されている。金属体検出器１０では、検出コイル１に電流が流れ、検出コイル１に磁界（磁束）が発生する。また、金属体検出器１０では、基準平面Ｂ１に直交する方向Ａ１を、第１方向Ａ１と称する。なお、検出コイル１は、筒状に形成されているが、この形状に限らない。検出コイル１は、例えば、環状に形成されていてもよい。
【００２３】
コイルボビン４は、外周部に導線２２が巻き付けられ内周部を検出領域Ｃ１とする中空筒状の本体部５と、本体部５における軸方向Ａ２に沿った方向の両端部から基準平面Ｂ１に沿って外方へそれぞれ突出された一対の鍔部６，６とを備えている。コイルボビン４は、例えば、合成樹脂などにより形成することができる。本体部５は、例えば、中空円筒状に構成されている。本体部５の内径寸法は、金属体２１を通過させることが可能な寸法に設定されている。各鍔部６は、例えば、平面視において円形状に構成されている（図７参照）。なお、本体部５は、中空円筒状に構成されているが、この構成を特に限定するものではない。また、各鍔部６は、平面視において円形状に構成されているが、この構成を特に限定するものではない。また、本体部５の軸方向Ａ２は、第１方向Ａ１に一致させている。
【００２４】
シールド部材２は、例えば、有底筒状（例えば、有底円筒状など）などに構成されている（図７参照）。シールド部材２は、例えば、非磁性金属（例えば、銅など）などにより形成することができる。シールド部材２には、導線２２を巻き付けたコイルボビン４が収納される。つまり、シールド部材２は、基準平面Ｂ１において検出コイル１の外周に配置される。
【００２５】
シールド部材２の底部７には、平面視において円形状の孔（第１孔）１１が形成されている。第１孔１１の径寸法は、コイルボビン４の本体部５の内径寸法と同じ寸法に設定されている。シールド部材２の側部８には、導線２２の一対の引出部１２，１３（図７参照）を導出するための孔（第２孔）１４が形成されている。
【００２６】
枠体３は、細長板状で、且つ、コイルボビン４の本体部５に巻き付けられた検出コイル１の外周面に取り付けられるように構成されている。枠体３は、検出コイル１の外周面に対し検出領域Ｃ１に向けて弾性力を作用させるように構成されていることが好ましい。具体的に説明すると、枠体３は、例えば、平面視においてＣ字状に構成されている（図３および図７参照）。枠体３の内径寸法は、検出コイル１の外径寸法よりも小さな寸法に設定されている。これにより、金属体検出器１０では、枠体３を検出コイル１の外周面に取り付ける際に、例えば、接着剤などの接着部材が不要となる。よって、金属体検出器１０では、枠体３を検出コイル１の外周面に取り付ける作業性を向上させることが可能となる。また、金属体検出器１０では、枠体３と検出コイル１の外周面との密着性を向上させることも可能となる。そのため、金属体検出器１０では、検出コイル１で発生する磁界（磁束）の漏れを抑制することが可能となる。
【００２７】
枠体３は、例えば、エラストマーに磁性体粉（例えば、フェライト粉など）を分散させて形成されている。これにより、金属体検出器１０では、枠体３が弾性を有するように構成され、枠体３を検出コイル１の外周面に、より密着させることが可能となる。よって、金属体検出器１０では、検出コイル１で発生する磁界（磁束）の漏れを、より抑制することが可能となる。また、金属体検出器１０では、枠体３により検出コイル１を傷つけるのを抑制することが可能となり、検出コイル１の断線を防ぐことが可能となる。さらに、金属体検出器１０では、枠体３を検出コイル１の外周面に取り付ける際に、枠体３が破損するのを抑制することが可能となる。また、金属体検出器１０では、検出コイル１と枠体３とシールド部材２との相対的な位置ずれを抑制することが可能となる。
【００２８】
枠体３における長手方向（図２では、左右方向）の両端部１５，１６の各々は、コイルボビン４における一対の鍔部６，６の間に圧入されるように形成されている。枠体３の両端部１５，１６それぞれの第１方向Ａ１（図２では、上下方向）の寸法（以下、幅寸法）Ｗ１（図２参照）は、コイルボビン４における一対の鍔部６，６の間隔Ｗ０（図１参照）以上に設定されている。一例を挙げると、枠体３の両端部１５，１６それぞれの幅寸法Ｗ１は、コイルボビン４における一対の鍔部６，６の間隔Ｗ０よりも若干大きく設定されている。枠体３の両端部１５，１６以外の部位の幅寸法Ｗ２（図２参照）は、コイルボビン４における一対の鍔部６，６の間隔Ｗ０よりも若干小さく設定されている。これにより、金属体検出器１０では、枠体３を検出コイル１の外周面に取り付けた後に、枠体３の両端部１５，１６が検出コイル１の外周面から浮くのを抑制することが可能となる。よって、金属体検出器１０では、枠体３を検出コイル１の外周面に取り付ける作業性を向上させることが可能となる。また、金属体検出器１０では、枠体３と検出コイル１の外周面との密着性を向上させることも可能となる。
【００２９】
なお、金属体検出器１０では、枠体３を検出コイル１の外周面に取り付ける作業性を考慮して、枠体３の両端部１５，１６の幅寸法Ｗ１と、枠体３の両端部１５，１６以外の部位の幅寸法Ｗ２とを異なる寸法に設定しているが、これに限らない。金属体検出器１０では、枠体３の両端部１５，１６の幅寸法Ｗ１と、枠体３の両端部１５，１６以外の部位の幅寸法Ｗ２とを同じ寸法に設定してもよい。
【００３０】
金属体検出器１０では、枠体３を検出コイル１の外周面に取り付ける手段として、圧入手段（枠体３の両端部１５，１６）を用いているが、これに限らない。枠体３を検出コイル１の外周面に取り付ける手段としては、例えば、接着部材などを用いることもできる。
【００３１】
枠体３には、導線２２の一対の引出部１２，１３を各別に通す一対の孔１７，１８（図２および図７参照）が形成されている。要するに、枠体３には、導線２２の引出部１２，１３を通す孔１７，１８が形成されている。これにより、金属体検出器１０では、例えば、枠体３を検出コイル１の外周面に取り付ける際に、枠体３により導線２２の各引出部１２，１３が断線するのを防ぐことが可能となる。以下では、一対の孔１７，１８の一方を第３孔１７と称し、他方を第４孔１８と称することもある。
【００３２】
第３孔１７および第４孔１８それぞれにおいて枠体３の幅方向に沿った方向の寸法Ｗ３（図２参照）は、導線２２の各引出部１２，１３それぞれの径寸法よりも若干大きく設定されている。
【００３３】
金属体検出器１０では、枠体３に、導線２２の一対の引出部１２，１３を各別に通す一対の孔１７，１８が形成されているが、これに限らない。枠体３には、例えば、導線２２の一対の引出部１２，１３を通す１つの孔（図示せず）が形成されていてもよい。
【００３４】
金属体検出器１０は、シールド部材２に、コイルボビン４の本体部５に巻き付けられた検出コイル１と、検出コイル１に取り付けられた枠体３とが、収納されている。つまり、枠体３は、図３に示すように、基準平面Ｂ１（図３では、紙面）において検出コイル１とシールド部材２との間に配置されている。これにより、金属体検出器１０では、検出コイル１で発生する磁界（磁束）が枠体３を通るので、シールド部材２に渦電流が発生するのを抑制することが可能となる。よって、金属体検出器１０では、例えば、金属体２１が検出領域Ｃ１内に存在しないときに、検出コイル１のコンダクタンスが増加するのを抑制することが可能となる。
【００３５】
枠体３は、検出コイル１の外周面の全周に亘って配置されている。また、枠体３は、検出コイル１の外周面に取り付けられて第１方向Ａ１に位置決めされている。具体的に説明すると、枠体３は、検出コイル１の外周面とシールド部材２の側部８の内周面とで第１方向Ａ１に位置決めされている。より詳しく説明すると、枠体３は、検出コイル１の外周面とシールド部材２の側部８の内周面との摩擦を利用して、第１方向Ａ１に位置決めされている。これにより、金属体検出器１０では、図９に示す構成を備えた従来例の貫通形近接センサ８０のように、枠体３を検出コイル１の上部および下部に配置する必要がない。よって、金属体検出器１０では、従来例の貫通形近接センサ８０に比べて、検出コイル１の高さ寸法Ｈ０（図１参照）を大きくすることが可能となる。しかして、金属体検出器１０では、従来例の貫通形近接センサ８０に比べて、金属体２１を検出するための検出領域Ｃ１を広くすることが可能となり、金属体２１の検出精度を向上させることが可能となる。
【００３６】
ところで、従来例の貫通形近接センサ８０では、金属体としてステンレス製の金属体を用いた場合、鉄製の金属体を用いた場合に比べて、金属体の検出精度が低下する可能性があり、金属体を検出できない虞がある。これに対して、金属体検出器１０では、従来例の貫通形近接センサ８０に比べて、金属体２１の検出精度を向上させることが可能となっている。よって、金属体検出器１０では、金属体２１としてステンレス製の金属体を用いた場合であっても、金属体２１として鉄製の金属体を用いた場合と同様に、検出領域Ｃ１内に存在する金属体２１を検出することが可能となる。
【００３７】
枠体３は、検出コイル１の外周面の全周に亘って配置されているが、これに限らない。枠体３は、例えば、図４および図５に示すように、検出コイル１の外周面における周方向の一部に配置されていてもよい。なお、図５では、複数（図示例では、４つ）の枠体３が、検出コイル１の外周面における周方向の部位に等間隔で配置されている。
【００３８】
金属体検出器１０では、検出コイル１の外周面に取り付けられた枠体３の量によって、金属体２１の検出領域Ｃ１および応差を設定することが可能となる。これにより、金属体検出器１０では、金属体２１の検出精度を調整することが可能となる。金属体２１の応差とは、金属体２１の非検出状態から検出状態に移行するときの距離と、金属体２１の検出状態から非検出状態に移行するときの距離との差を意味する。
【００３９】
枠体３は、平面視においてＣ字状に構成されているが、これに限らない。枠体３は、例えば、平面視においてＯ字状に構成されていてもよい。この場合も、枠体３の内径寸法は、検出コイル１の外径寸法よりも小さな寸法に設定される。これにより、金属体検出器１０では、枠体３を平面視においてＣ字状に構成した場合に比べて、検出コイル１の外周面に対し検出領域Ｃ１に向けて作用する弾性力を強くすることが可能となる。よって、金属体検出器１０では、枠体３と検出コイル１の外周面との密着性を向上させることも可能となる。そのため、金属体検出器１０では、検出コイル１で発生する磁界（磁束）の漏れを抑制することが可能となる。
【００４０】
また、枠体３は、エラストマーに磁性体粉を分散させて形成されているが、これに限らない。枠体３は、例えば、磁性金属（例えば、アモルファス金属など）などにより形成されていてもよい。この場合、枠体３は、例えば、接着部材などを用いて検出コイル１の外周面に取り付けられる。また、枠体３と検出コイル１の外周面との間には、図６に示すように、電気的に絶縁する絶縁部材９（例えば、絶縁フィルムなど）が配置されていることが好ましい。これにより、金属体検出器１０では、検出コイル１における導線２２の上記絶縁被覆部の劣化に起因して、導線２２の上記導電体と枠体３とが短絡するのを抑制することが可能となる。絶縁部材９は、枠体３と一体に構成されていてもよい。絶縁フィルムとしては、例えば、ＰＥＴ（polyethylene terephthalate）フィルムなどを用いることができる。
【００４１】
なお、金属体検出器１０では、金属体２１として、遊戯球（パチンコ玉）を用いているが、これに限らない。金属体２１としては、例えば、棒体などを用いることもできる。
【００４２】
以上説明した本実施形態の金属体検出器１０は、基準平面Ｂ１において金属体２１を検出するための検出領域Ｃ１を囲むように形成された検出コイル１と、基準平面Ｂ１において検出コイル１の外周に配置され電磁波を遮蔽するシールド部材２とを備えている。また、金属体検出器１０は、磁性材料を含み、基準平面Ｂ１において検出コイル１とシールド部材２との間に配置された枠体３を備えている。枠体３は、検出コイル１の外周面に取り付けられて基準平面Ｂ１に直交する第１方向Ａ１に位置決めされている。これにより、金属体検出器１０では、従来例の貫通形近接センサ８０に比べて、金属体２１の検出精度を向上させることが可能となる。
【００４３】
枠体３は、エラストマーに磁性体粉を分散させて形成されていることが好ましい。これにより、金属体検出器１０では、枠体３を検出コイル１の外周面に密着させることが可能となる。よって、金属体検出器１０では、検出コイル１で発生する磁界（磁束）の漏れを抑制することが可能となる。また、金属体検出器１０では、枠体３により検出コイル１を傷つけるのを抑制することが可能となり、検出コイル１の断線を防ぐことが可能となる。さらに、金属体検出器１０では、枠体３を検出コイル１の外周面に取り付ける際に、枠体３が破損するのを抑制することが可能となる。また、金属体検出器１０では、検出コイル１と枠体３とシールド部材２との相対的な位置ずれを抑制することが可能となる。
【００４４】
枠体３には、検出コイル１を構成する導線２２の一対の引出部１２，１３を通す孔（第３孔１７、第４孔１８）が形成されていることが好ましい。これにより、金属体検出器１０では、例えば、枠体３を検出コイル１の外周面に取り付ける際に、枠体３により導線２２の各引出部１２，１３が断線するのを防ぐことが可能となる。
【００４５】
金属体検出器１０は、導線２２を巻き付けるコイルボビン４を更に備えていることが好ましい。コイルボビン４は、外周部に導線２２が巻き付けられ内周部を検出領域Ｃ１とする中空筒状の本体部５と、本体部５における第１方向Ａ１に沿った方向の両端部から基準平面Ｂ１に沿って外方へそれぞれ突出された一対の鍔部６，６とを備えていることが好ましい。枠体３は、細長板状で、且つ、検出コイル１の外周面に取り付けられるように構成されていることが好ましい。枠体３における長手方向の両端部１５，１６それぞれの第１方向Ａ１の寸法Ｗ１は、コイルボビン４における一対の鍔部６，６の間隔Ｗ０以上に設定されていることが好ましい。これにより、金属体検出器１０では、枠体３を検出コイル１の外周面に取り付けた後に、枠体３の両端部１５，１６が検出コイル１の外周面から浮くのを抑制することが可能となる。よって、金属体検出器１０では、枠体３を検出コイル１の外周面に取り付ける作業性を向上させることが可能となる。また、金属体検出器１０では、枠体３と検出コイル１の外周面との密着性を向上させることも可能となる。
【００４６】
枠体３は、検出コイル１の前記外周面に対し検出領域Ｃ１に向けて弾性力を作用させるように構成されていることが好ましい。これにより、金属体検出器１０では、枠体３と検出コイル１の外周面との密着性を、より向上させることが可能となる。よって、金属体検出器１０では、検出コイル１で発生する磁界（磁束）の漏れを抑制することが可能となる。
【００４７】
枠体３と検出コイル１の外周面との間には、電気的に絶縁する絶縁部材９が配置されていることが好ましい。これにより、金属体検出器１０では、検出コイル１における導線２２の上記絶縁被覆部の劣化に起因して、導線２２の上記導電体と枠体３とが短絡するのを抑制することが可能となる。
【００４８】
以下では、本実施形態の金属体検出装置２０を、図７および図８に基づいて説明する。
【００４９】
金属体検出装置２０は、例えば、金属体２１（図１参照）からなる遊戯球（例えば、パチンコ玉など）を検出するように構成されている。
【００５０】
金属体検出装置２０は、金属体検出器１０と、検出コイル１に磁界（高周波磁界）を発生させる発振回路２３と、検出領域Ｃ１内の金属体２１を検出する検出回路２４とを備えている。また、金属体検出装置２０は、発振回路２３および検出回路２４が形成された回路基板１９と、金属体検出器１０および回路基板１９を収納するハウジング２７とを備えている。
【００５１】
発振回路２３は、検出コイル１に電流（高周波電流）を流して上記磁界を発生させるように構成されている。
【００５２】
検出回路２４は、検出コイル１のコンダクタンスの変化に起因する発振回路２３の発振振幅の変化に基づいて検出領域Ｃ１内の金属体２１を検出するように構成されている。一例を挙げて説明すると、検出回路２４は、発振回路２３の出力信号（発振信号）の振幅値が予め設定された所定の閾値以下になったときに、検出領域Ｃ１内の金属体２１を検出する。なお、上記閾値は、検出回路２４に予め設けられた記憶部（図示せず）に記憶されている。
【００５３】
回路基板１９としては、例えば、プリント配線板などを用いることができる。回路基板１９には、発振回路２３を構成する電子部品（図示せず）が実装されている。また、回路基板１９には、検出回路２４を備えた信号処理部２６が実装されている。信号処理部２６は、検出回路２４による検出結果を電気信号として出力する出力回路２５を備えている。なお、図７では、信号処理部２６の図示を省略している。
【００５４】
回路基板１９には、検出コイル１における導線２２の両端と電気的に接続可能な一対の接続部３２，３３が形成されている。一対の接続部３２，３３は、回路基板１９の導体パターン（図示せず）を介して，発振回路２３の一対の入力端と電気的に接続されている。導線２２の両端には、回路基板１９の一対の接続部３２，３３と電気的に接続可能な一対の接続端子３０，３１が設けられている。
【００５５】
ハウジング２７は、例えば、箱状（例えば、矩形箱状など）などに構成されている。ハウジング２７は、例えば、合成樹脂などにより形成することができる。ハウジング２７には、金属体検出器１０および回路基板１９を収納する収納部２８が形成されている。収納部２８は、金属体検出器１０が収納される部位に、平面視において円形状の孔（第５孔）２９が形成されている。第５孔２９の径寸法は、シールド部材２における第１孔１１の径寸法と同じ寸法に設定されている。
【００５６】
金属体検出装置２０では、金属体２１が検出領域Ｃ１内に存在するとき、金属体２１の表面に渦電流が流れるので、検出コイル１のコンダクタンスが増加する。これにより、金属体検出装置２０では、発振回路２３の発振振幅が低下するので、検出領域Ｃ１内に存在する金属体２１を非接触で検出することが可能となる。
【００５７】
なお、金属体検出装置２０は、金属体２１からなる遊戯球を検出するように構成されているが、この構成に限らない。金属体検出装置２０は、例えば、金属体２１からなる棒体を検出するように構成されていてもよい。
【００５８】
以上説明した本実施形態の金属体検出装置２０は、金属体検出器１０と、検出コイル１に電流を流して磁界を発生させる発振回路２３と、発振回路２３の発振振幅の変化に基づいて検出領域Ｃ１内の金属体２１を検出する検出回路２４とを備えている。これにより、金属体検出装置２０では、金属体２１の検出精度を向上させることが可能となる。
【００５９】
また、金属体検出装置２０は、金属体２１からなる遊戯球を検出するように構成されていることが好ましい。これにより、金属体検出装置２０では、遊戯球（例えば、パチンコ玉など）を検出することが可能となる。
【符号の説明】
【００６０】
１  検出コイル
２  シールド部材
３  枠体
４  コイルボビン
５  本体部
６  鍔部
９  絶縁部材
１０  金属体検出器
１２，１３  引出部
１５，１６  両端部
１７  孔
１８  孔
２０  金属体検出装置
２１  金属体
２２  導線
２３  発振回路
２４  検出回路
Ａ１  第１方向
Ｂ１  基準平面
Ｃ１  検出領域
【図１】
2015137895.tif 000003
【図２】
2015137895.tif 000004
【図３】
2015137895.tif 000005
【図４】
2015137895.tif 000006
【図５】
2015137895.tif 000007
【図６】
2015137895.tif 000008
【図７】
2015137895.tif 000009
【図８】
2015137895.tif 000010
【図９】
2015137895.tif 000011